(57)【要約】【課題】本発明は、例えば、通信基地局の冷却装置に関するもので、停電時でも制御機器を効果的に冷却できるようにすることを目的とする。【解決手段】この目的を達成するために、本発明は、制御機器２を収納する本体ケース１と、この本体ケース１内において、制御機器２の外表面に当接させられる吸熱器４と、この吸熱器４に冷媒循環管路７、８を介して接続されるとともに、少なくともその一部が、本体ケース１の上部外に配置された放熱器９と、前記吸熱器４内に設けた冷媒とを備え、吸熱器４には、この吸熱器４を、制御機器２の外表面に押し付けた状態で固定する保持具６を設けた。【選択図】図１
2015053312.tif 000002
【特許請求の範囲】
【請求項１】
制御機器を収納する本体ケースと、この本体ケース内において、前記制御機器の外表面に当接させられる吸熱器と、この吸熱器に冷媒循環管路を介して接続されるとともに、少なくともその一部が、前記本体ケースの上部外に配置された放熱器と、前記吸熱器内に設けた冷媒とを備え、前記吸熱器には、この吸熱器を、前記制御機器の外表面に押し付けた状態で固定する保持具を設けた冷却装置。
【請求項２】
本体ケース内には、複数の吸熱器を設け、本体ケースの上部には複数の放熱器を設けた請求項１に記載の冷却装置。
【請求項３】
保持具は、吸熱器を、前記制御機器の外表面に押し付けた状態で固定する帯状体により構成した請求項１または２記載の冷却装置。
【発明の詳細な説明】
【技術分野】
【０００１】
本発明は、例えば、通信基地局の冷却装置に関するものである。
【背景技術】
【０００２】
例えば、通信基地局は、制御機器を風雨から保護するために、この制御機器を本体ケース内に収納させている。
【０００３】
前記制御機器は、大きな電力を消費するものであるので、例えば、本体ケース内に送風ファンを設けたり、いわゆるエアコンといわれる空調装置（コンプレッサを有するもの）を設置したりしている（例えば、特許文献１参照）。
【先行技術文献】
【特許文献】
【０００４】
【特許文献１】特開２００２−２４２８７８号公報
【発明の概要】
【発明が解決しようとする課題】
【０００５】
上記送風ファンや、エアコンといわれる空調装置は、いずれも電力設備が必要で、停電時には稼動しない。
【０００６】
しかしながら、通信基地局における制御機器は、停電時でも予備電池で継続的に稼動できるようになっているので、停電時にこれを冷却することができないのは、大きな問題となる。
【０００７】
そこで、本発明は、停電時でも制御機器を効果的に冷却できるようにすることを目的とするものである。
【課題を解決するための手段】
【０００８】
そして、この目的を達成するために、本発明は、制御機器を収納する本体ケースと、この本体ケース内において、前記制御機器の外表面に当接させられる吸熱器と、この吸熱器に冷媒循環管路を介して接続されるとともに、少なくともその一部が、前記本体ケースの上部外に配置された放熱器と、前記吸熱器内に設けた冷媒とを備え、前記吸熱器には、この吸熱器を、前記制御機器の外表面に押し付けた状態で固定する保持具を設け、これにより所期の目的を達成するものである。
【発明の効果】
【０００９】
以上のように本発明は、制御機器を収納する本体ケースと、この本体ケース内において、前記制御機器の外表面に当接させられる吸熱器と、この吸熱器に冷媒循環管路を介して接続されるとともに、少なくともその一部が、前記本体ケースの上部外に配置された放熱器と、前記吸熱器内に設けた冷媒とを備え、前記吸熱器には、この吸熱器を、前記制御機器の外表面に押し付けた状態で固定する保持具を設けたものであるので、停電時でも制御機器を効果的に冷却できるようになる。
【００１０】
すなわち、本発明においては、前記制御機器の外表面に保持具によって吸熱器を押し付けた状態で固定しており、しかも、この吸熱器と、少なくともその一部が、前記本体ケースの上部外に配置された放熱器を、冷媒循環管路を介して接続している。
【００１１】
このため、制御機器の温度が上昇すると、吸熱器内の冷媒が気化し、それによって制御機器の温度上昇を抑制することができ、その結果として停電時でも制御機器を効果的に冷却できるようになるのである。
【図面の簡単な説明】
【００１２】
【図１】本発明の実施の形態１にかかる冷却装置の透視斜視図
【図２】同透視側面図
【図３】同透視正面図
【図４】本発明の実施の形態１にかかる冷却装置の透視斜視図
【図５】同透視背面図
【図６】同透視上面図
【発明を実施するための形態】
【００１３】
以下、本発明の一実施形態を説明する。
【００１４】
（実施の形態１）
図１〜図３において、箱状の本体ケース１は、通信基地局の制御機器２を風雨から保持するために、この制御機器２を収納し、前面側にはドア３が設けられている。
【００１５】
この本体ケース１内には、前記制御機器２の外表面に当接させられる吸熱器４が設けられている。
【００１６】
この吸熱器４は図１〜図３に示すように、制御機器２の外表面に当接させられ、具体的には、制御機器２の上面５に載せられ、この状態で、帯状体よりなる保持具６によって固定されている。
【００１７】
また、吸熱器４には、例えばゴムなどの可撓性材料よりなる冷媒循環管路７、８を介して放熱器９が接続されている。
【００１８】
なお、この吸熱器４内には、例えばフロン系の液状冷媒が入れられている。
【００１９】
さらに、前記放熱器９は、本体ケース１の上部、具体的には天面１０に固定されており、しかも、その一部が天面１０を貫通して本体ケース１外に突出させられた状態となっている。
【００２０】
以上の構成において、本体ケース１は、一辺が、例えば３０センチ程度の大きさとなっているので、電柱などにも取り付けることができ、これを沢山設置することで、通信エリアを広く、細かく管理することができるようになる。
【００２１】
そして、制御機器２の稼動状態において、制御機器２は温度上昇することになるのであるが、本実施形態では、制御機器２の外表面に吸熱器４が保持具６によって押し付けられた状態で、固定されているので、吸熱器４内の冷媒が気化することで、制御機器２の温度上昇を抑制することができる。
【００２２】
また、気化後の冷媒は、冷媒循環管路７を介して上昇し、続いて放熱器９において本体ケース１外の空気で冷却されて液化し、その後、冷媒循環管路８を介して吸熱器４へと循環する。
【００２３】
つまり、本実施形態の冷却は、電力消費を伴わないものであるので、停電時にも、予備バッテリー（図示せず）によって駆動を続ける制御機器２を冷却することができる。
【００２４】
（実施の形態２）
図４〜図６は本発明の実施の形態２を示し、この例では、本体ケース１内には、複数の吸熱器４を設けものである。
【００２５】
なお、実施の形態１と同じものには、同じ番号を付している。
【００２６】
本実施形態の本体ケース１は、例えば高さが１メートルもあるものであるので、都市部におけるビルのベランダや屋上に接されるものであり、ラック１１を用いて複数の制御機器２が縦方向に所定間隔を置いて配置されている。
【００２７】
このため、各制御機器２の外表面に吸熱器４が保持具６によって押し付けられた状態で、固定されている。
【００２８】
また、本体ケース１の天面１０にも、複数の放熱器９が設置され、これら複数の放熱器９と吸熱器４は冷媒循環管路７、８を介して接続されている。
【００２９】
このため、各制御機器２が温度上昇した場合でも、各制御機器２の外表面に、それぞれ吸熱器４が保持具６によって押し付けられた状態で、固定されているので、各吸熱器４内の冷媒が気化することで、制御機器２の温度上昇を抑制することができる。
【００３０】
また、気化後の冷媒は、冷媒循環管路７を介して上昇し、続いて放熱器９において本体ケース１外の空気で冷却されて液化し、その後、冷媒循環管路８を介して吸熱器４へと循環する。
【００３１】
つまり、本実施形態の冷却は、電力消費を伴わないものであるので、停電時にも、予備バッテリー（図示せず）によって駆動を続ける各制御機器２を冷却することができる。
【００３２】
なお、この（実施の形態２）において、例えば、制御機器２が３個しか設置されなかった場合には、不使用の吸熱器４は保持具６によって、本体ケース１内の保持部（図示せず）に保持させた状態で管理する。
【００３３】
つまり、各制御機器２の外表面に、それぞれ吸熱器４を保持具６によって押し付けられた状態で固定するようにしたものでは、本体ケース１内で、吸熱器４を制御機器２に取り付けたり、未使用の吸熱器４を保持部に保管したりすることが、現場において容易に行うことができる。
【産業上の利用可能性】
【００３４】
以上のように本発明は、制御機器を収納する本体ケースと、この本体ケース内において、前記制御機器の外表面に当接させられる吸熱器と、この吸熱器に冷媒循環管路を介して接続されるとともに、少なくともその一部が、前記本体ケースの上部外に配置された放熱器と、前記吸熱器内に設けた冷媒とを備え、前記吸熱器には、この吸熱器を、前記制御機器の外表面に押し付けた状態で固定する保持具を設けたものであるので、停電時でも制御機器を効果的に冷却できるようになる。
【００３５】
すなわち、本発明においては、前記制御機器の外表面に保持具によって吸熱器を押し付けた状態で固定しており、しかも、この吸熱器と、少なくともその一部が、前記本体ケースの上部外に配置された放熱器を、冷媒循環管路を介して接続している。
【００３６】
このため、制御機器の温度が上昇すると、吸熱器内の冷媒が気化し、それによって制御機器の温度上昇を抑制することができ、その結果として停電時でも制御機器を効果的に冷却できるようになるのである。
【００３７】
したがって、基地局などの冷却装置としての活用が期待される。
【符号の説明】
【００３８】
１  本体ケース
２  制御機器
３  ドア
４  吸熱器
５  上面
６  保持具
７  冷媒循環管路
８  冷媒循環管路
９  放熱器
１０  天面
１１  ラック
【図１】
2015053312.tif 000003
【図２】
2015053312.tif 000004
【図３】
2015053312.tif 000005
【図４】
2015053312.tif 000006
【図５】
2015053312.tif 000007
【図６】
2015053312.tif 000008